(57)【特許請求の範囲】
【請求項１】
紙幣を搬送する搬送路と
前記搬送路により搬送される紙幣を判別し固有情報を読み取る判別部と、
前記判別部により紙幣が判別された結果である判別情報と、前記判別部により読み取られ紙幣の固有情報と、を関連付けて記憶する記憶部と、
紙幣を一時的に保管する一時保管庫を備え、
前記各部を制御する制御部とを備え、
前記判別部は、前記搬送路により前記一時保管庫に搬入される紙幣の第１の固有情報を読取り、前記制御部は、前記判別部により判別された紙幣の判別情報に基づき前記一時保管庫から搬出される紙幣の搬送先を決定し、前記記憶部は、前記第１の固有情報と前記搬送先に関する情報とを関連付けて記憶し、
さらに、前記判別部は、前記一時保管庫から搬出された紙幣の第２の固有情報を読取り、前記制御部は、前記判別部により読取られた前記一時保管庫から搬出された紙幣の第２の固有情報に対応する、前記記憶部に記憶された第１の固有情報に関連付けられた前記搬送先を、前記一時保管庫から搬出された紙幣の搬送先とすることを特徴とする紙幣取扱装置。
【請求項２】
請求項１に記載の紙幣取扱装置であって、
前記一時保管庫は紙幣を重ねて収納するスタック型一時保管庫を含むことを特徴とする紙幣取扱装置。
【請求項３】
請求項１又は２に記載の紙幣取扱装置であって、
前記第１及び第２の固有情報は、紙幣の記番号を含むことを特徴とする紙幣取扱装置。
【請求項４】
請求項１〜３のいずれかに記載の紙幣取扱装置であって、
前記判別情報は、少なくとも紙幣の真偽に関する情報を含むことを特徴とする紙幣取扱装置。
【請求項５】
紙幣を一時的に保管する一時保管庫と、
紙幣を搬送する搬送路と、
前記搬送路により前記一時保管庫に搬入される紙幣の固有情報を読取り可能に設けられた判別部と、
前記搬送路から前記一時保管庫に搬入される紙幣について前記判別部により紙幣が判別された結果である紙幣の判別情報に基づき、前記一時保管庫から前記搬送路に搬出される紙幣の搬送先を決定する制御部と、
前記判別部により読取られた該固有情報と該搬送先を関連付けて記憶する記憶部とを備えた紙幣取扱装置であって、
前記判別部は、前記一時保管庫から前記搬送路に搬出された紙幣の固有情報を読取り、前記制御部は、前記判別部により読取られた前記一時保管庫から前記搬送路に搬出された紙幣の該固有情報に対応する、前記記憶部に記憶された前記固有情報に関連付けられた前記搬送先を、前記一時保管庫から前記搬送路に搬出された紙幣の搬送先とすることを特徴とする紙幣取扱装置。
【請求項６】
請求項５に記載の紙幣取扱装置であって、
前記搬送路が前記入出金部から前記判別部を経由して前記一時保管庫へ紙幣を搬送する入金計数処理において、
前記制御部は、前記判別部により、前記搬送路から前記一時保管庫に搬入する紙幣の固有情報を読取れない場合には、前記入出金部を搬送先とすることを特徴とする紙幣取扱装置。
【請求項７】
請求項５に記載の紙幣取扱装置であって、
入金された紙幣を収納する収納庫を備え、
前記一時保管庫から前記判別部を経由して前記収納庫へ紙幣を搬送する入金収納処理において、
前記制御部は、前記判別部により、前記一時保管庫から前記搬送路に搬出された紙幣の固有情報を読取れない場合には、紙幣を出金できない収納庫を搬送先とすることを特徴とする紙幣取扱装置。
【請求項８】
請求項５に記載の紙幣取扱装置であって、
搬送路が前記一時保管庫から前記判別部を経由して前記入出金部へ紙幣を搬送する返却処理において、
前記制御部は、前記判別部が、前記一時保管庫から前記搬送路に搬出された紙幣の固有情報を読取れない場合には、前記搬送路に紙幣の搬送を停止させることを特徴とする紙幣取扱装置。
【請求項９】
請求項５に記載の紙幣取扱装置であって、
前記一時保管庫は紙幣を重ねて収納するスタック型一時保管庫を含むことを特徴とする紙幣取扱装置。
【請求項１０】
請求項９に記載の紙幣取扱装置であって、
前記搬送路は、前記搬送先に紙幣を搬送することを特徴とする紙幣取扱装置。
【請求項１１】
請求項５〜１０のいずれかに記載の紙幣取扱装置であって、
前記紙幣の固有情報は、紙幣の記番号を含むことを特徴とする紙幣取扱装置。
【請求項１２】
請求項５〜１１のいずれかに記載の紙幣取扱装置であって、
前記判別情報は、少なくとも紙幣の真偽の情報を含むことを特徴とする紙幣取扱装置。
【請求項１３】
一時保管庫に搬入される紙幣を判別し固有情報を読取り、前記読取った紙幣の固有情報と前記判別した紙幣の判別情報を関連付けて記憶し、
前記判別した判別情報に基づき、前記一時保管庫から搬出する紙幣の搬送先を決定し、前記搬送先と前記固有情報とを関連付けて記憶し、
前記一時保管庫から搬出された紙幣の固有情報を読取り、該読取った紙幣の固有情報に対応する記憶した前記固有情報に関連付けた前記搬送先を、前記一時保管庫から搬出された紙幣の搬送先とすることを特徴とする紙幣取扱方法。
【発明の詳細な説明】
【技術分野】
【０００１】
本発明は、紙幣の判別結果に基づき、紙幣の収納及び紙幣の返却を行う機能を備えた紙幣取扱装置に関する。
【背景技術】
【０００２】
ＥＵなどでは、入金された紙幣を真券でない又は疑わしい紙幣であると紙幣取扱装置が判別した場合には、その紙幣を利用者に渡してはいけないという規則がある。この規則を遵守するためには、入金取引において、紙幣の判別結果である判別情報に応じた搬送先に紙幣を搬送することが重要となる。
【０００３】
従来の紙幣取扱装置は、紙幣を回転ドラムに巻き付けて保管する巻取り型一時保管庫を備えている。巻取り型一時保管庫は、入金計数時と入金収納時とで、一時保管庫に収納されている紙幣の順序が変わることは稀少である。このため、巻取り型一時保管庫を備える紙幣取扱装置は、入金計数処理にて判別した紙幣の判別情報（金種、真偽、状態など）を順番に記憶していき、入金収納処理では、一時保管庫に収納された順番又はその逆の順番で紙幣が一時保管庫から搬出されるという前提のもとに、その順番に応じた前記判別情報に基づいて、紙幣の搬送先を決定することが可能となる。
【０００４】
従来の装置としては、特許第3865171号（特許文献１）にあるように、入金計数時に、紙幣の判別情報と一時保管庫内の位置情報を記憶しておき、入金収納時には、入金計数時に記憶した紙幣の判別情報と一時保管庫内の位置情報をもとに、紙幣の搬送先を決定する紙幣取扱装置が提案されている。
【０００５】
【特許文献１】特許第3865171号
【発明の開示】
【発明が解決しようとする課題】
【０００６】
特許文献１に記載された巻取り型一時保管庫は、紙幣の収納効率が悪いため、紙幣取扱装置の小型化及び大容量化に対応できない。また特殊な部材を使用していることからコストがかかる。このため、近年では、収納効率が良く、低コストの、紙幣を重ねて収納するスタック型一時保管庫が利用されることが多くなっている。
【０００７】
しかし、スタック型一時保管庫は、入金計数時と入金収納時とで、一時保管庫内の紙幣の順番が変わることがある。この場合、入金収納処理において一時保管庫から搬出される紙幣の順番は、入金計数時に一時保管庫に紙幣が収納された順番又はその逆の順番にはならない。この結果、入金計数時の順番に応じた判別情報に基づき、紙幣の搬送先を決定すると、紙幣の判別結果とは関係のない不適切な搬送先に紙幣を搬送することになる。
【０００８】
このような場合に、真券でない又は疑わしい紙幣がリサイクル庫に搬送され、次回の取引で、利用者の手に渡ると規則違反となる。
【０００９】
本発明で解決しようとする課題は、一時保管庫に紙幣が搬入されるときと、一時保管庫から紙幣が搬出されるときとで、一時保管庫内の紙幣の順序が変わっても、一時保管庫に搬入されるときの固有情報を元に、一時保管庫から搬出した紙幣の搬送先を決めることができる紙幣取扱装置を提供することである。
【課題を解決するための手段】
【００１０】
本発明によれば、上記及びその他の目的は、以下に述べる特徴により達成される。
【００１１】
本発明の一特徴によれば、紙幣を搬送する搬送路と、搬送路により搬送される紙幣を判別する判別部と、判別部により紙幣が判別された結果である判別情報を記憶する記憶部と、
各部を制御する制御部とを備え、判別部は、搬送路により搬送される紙幣の固有情報を読取り、記憶部は、判別部により読取られた紙幣の固有情報と、判別部により判別された紙幣の判別情報とを関連付けて記憶する紙幣取扱装置が提供される。  
本発明の他の一特徴によれば、紙幣を一時的に保管する一時保管庫と、紙幣を搬送する搬送路と、搬送路により一時保管庫に搬入される紙幣の固有情報を読取り可能に設けられた判別部と、搬送路から一時保管庫に搬入される紙幣について判別部により紙幣が判別された結果である紙幣の判別情報に基づき、一時保管庫から搬送路に搬出される紙幣の搬送先を決定する制御部と、判別部により読取られた固有情報と搬送先を関連付けて記憶する記憶部とを備えた紙幣取扱装置が提供される。
【００１２】
本発明の他の一特徴によれば、搬送される紙幣を判別し、搬送される紙幣の固有情報を読取り、読取った紙幣の固有情報及び紙幣を判別した結果である判別情報を関連付けて記憶する紙幣取扱方法が提供される。
【発明の効果】
【００１３】
本発明によれば、一時保管庫へ紙幣が搬入されたときと一時保管庫から紙幣が搬出されたときとで、一時保管庫内の紙幣の順序が変わった場合であっても、適切な紙幣の管理を行うことが可能となる。
【発明を実施するための最良の形態】
【００１４】
以下に本発明の一実施形態を図１から図８を用いて説明する。
【００１５】
図１は、紙幣を取り扱う紙幣取扱装置１０６を示し、後述の図２に示す現金自動取引装置１０３の一機能、ユニット、装置を指している。紙幣取扱装置１０６は、利用者、顧客から入金、投入される紙幣を受け入れる、又は利用者が所望する紙幣を出金、放出する入出金部１、紙幣を搬送する搬送路２、搬送される各紙幣の金種、真偽若しくは状態を判別する判別部３を有する。特に、この判別部３は、紙幣の固有情報（例えば、紙幣に印刷された記番号など、或る紙幣が固有に（または一意に）有する情報）を読取る機能、手段も有している。また、紙幣を一時的に保管する一時保管庫４、流通に適さない紙幣を収納するためのリジェクト庫５、搬送路２により搬送される紙幣の通過を検知する通過センサ６、紙幣の搬送方向を切り換えるゲート７、紙幣を収納する収納庫８、９、更に図示しない制御部などから構成される。
【００１６】
入出金部１は、利用者が入金した紙幣を受け入れるホッパ１０と、主にリジェクトされた紙幣を利用者に放出、返却するリジェクトスタッカ１１とがある。収納庫８，９は入金された紙幣を出金にも供するリサイクル機能を備えたリサイクル庫であり、具体的には、収納庫８，９に収納された紙幣は、以降の利用者による取引の際に出金紙幣として利用されることがあり、例えば、収納庫８には万円紙幣、収納庫９には千円紙幣を収納、リサイクルできるように予め設定されている。なお、リジェクト庫５に収納された紙幣は、以降の利用者による取引の際に利用されることはなく、リサイクル機能を備えていない。
【００１７】
図２は、ホストコンピュータ１０１、サーバ１０２と接続された紙幣取扱装置１０６を含む現金自動取引装置（ＡＴＭ）１０３の制御ブロック図を示しており、現金自動取引装置１０３は銀行等の金融機関やコンビニエンスストア等に設置され、図３は現金自動取引装置１０３の外観を示している。ホストコンピュータ１０１、サーバ１０２は、現金自動取引装置１０３の上位装置であり、現金自動取引装置１０３と取引情報の送受信、顧客情報の管理を行い、顧客の口座番号や口座に対応した預入金額なども記憶する。紙幣取扱装置１０６の制御部１０４は、図１のゲート７の動作による紙幣の搬送先の決定や、搬送路２による紙幣の搬送の制御や、紙幣取扱装置１０６を構成する種々のユニット（入出金部１、判別部３、記憶部１０５、１０７、１０８等）を制御する。このように、制御部１０４は紙幣取扱装置１０６全体の制御を行い、この制御を行うためのプログラム、ソフトウェア、ミドルウェア等の情報は記憶部１０５に記憶され、この記憶部１０５は制御部１０４の一部として構成しても良い。
【００１８】
図１にて説明のとおり、判別部３は各紙幣の真偽、金種の判別処理と共に、紙幣の固有情報も読み取る。この判別部３は２つの記憶部、即ち第１の記憶部Ａと、第２の記憶部Ｂとを具備することが特徴の一つである。なお、記憶部のハードとしての構成は１つであって、記憶部のエリアを複数に分けて情報を記憶する形態についても、第１の記憶部、第２の記憶部と定義する。第１の記憶部１０７は、一時保管庫４に一時的に保管された紙幣について、制御部１０４が決定した紙幣の搬送先へ紙幣を搬送する際に、判別部３が判別した紙幣の固有情報を記憶する。一方、第２の記憶部１０８は、入出金部１に入金された紙幣を一時保管庫４に搬送する所謂紙幣の入金計数時に、判別部３が読取った紙幣の固有情報、判別部３が判別した判別情報（紙幣の金種、真偽又は状態を判別した情報）、入金順番情報（入金計数時の紙幣の搬送順番）を記憶する。
【００１９】
通帳取扱装置１０９は通帳を取り扱い、主に通帳への記帳、印字処理を実施し、明細票発行装置１１０は利用者が取引した内容を印字して取引明細票を発行する。カード取扱装置１１１は磁気ストライプカードに貼付された磁気ストライプ、ＩＣカードに搭載されたＩＣチップの読み取り又は書き込み処理を行う。操作部１１２は現金自動取引装置１０３にて取引可能な操作画面を表示し、利用者、係員、保守員からの操作入力を受付ける。本体制御部１１４は、現金自動取引装置全体の制御を行い、本体制御部記憶装置１１３はその制御のために必要なプログラム等を記憶する。
【００２０】
利用者は現金自動取引装置１０３によって種々の取引を実行するが、代表的な取引として入金取引と出金取引とがある。そして入金取引では利用者が入出金部１に紙幣を投入して操作部１１２にて投入した金額を確認する際、その金額で良ければ確認（ＯＫ）ボタンを押下して取引を終了するときと、返却ボタンを押下して投入した紙幣を返却して取引を終了するときとがある。これらの異なる利用者の要求を満たすために、図１及び図２にて説明した紙幣取扱装置１０６では、１つの入金取引において、大きく入金計数処理と入金収納処理という機能、処理を有しており、そのうち紙幣取扱装置１０６にて実行される入金計数処理について最初に説明する。
【００２１】
紙幣取扱装置１０６の入金計数処理は、利用者により入出金部１に紙幣が投入されると、入出金部１のホッパ１０から紙幣を１枚ずつ分離し、搬送路２上に搬出する。搬送路２上を搬送される各紙幣は、判別部３によってその金種や真偽が判別され、更には当該紙幣の固有情報が読み取られる。このとき、制御部１０４は、判別部３の紙幣を判別した判別結果である判別情報に基づき、紙幣の搬送先を決定する。この搬送先の決定においては、判別部３により真券であると判別された紙幣の搬送先を、収納庫８，９の運用方法に合わせて決定する。例えば、収納庫８には万券を収納するとした運用方法においては、判別部３により紙幣の種類が万券であると判別された場合は、制御部１０４は、当該紙幣の搬送先を収納庫８に決定する。
【００２２】
また、制御部１０４は、判別部３により真券であると判別された紙幣であっても、汚れや破れありと判別された紙幣（流通に適さない紙幣）については、その搬送先をリジェクト庫５に決定する。汚れや破れのある紙幣は、流通に適さないためである。
【００２３】
さらに、制御部１０４は、判別部３により真券でない又は疑わしい紙幣と判別された紙幣の搬送先も、リジェクト庫５に決定する。判別部３により真券でない又は疑わしい紙幣と判別された紙幣が、再度出金されると、規則違反となるためである。
【００２４】
また、制御部１０４は、判別部３により金種が判別できない紙幣、寸法が異常な紙幣、固有情報が取得できない紙幣などであると判別された紙幣の搬送先を、入出金部１のリジェクトスタッカ１１に決定する。紙幣として認められないと判断し、利用者に返却するためである。
【００２５】
このように、紙幣取扱装置１０６は、判別部３により判別された紙幣のうち、金種が判別できない、紙幣の固有情報が読み取れない、取得できないなどの紙幣は一時保管庫４を介さずに入出金部１に搬送して利用者に返却するが、それ以外の紙幣（真券、偽券、疑わしい券等）は、制御部１０４が決定した搬送先に搬送する前に、一時保管庫４に搬送する。
【００２６】
続いて、紙幣取扱装置１０６を用いた紙幣の入金取引における入金収納処理に関して説明する。この入金収納処理は、操作部１１２に紙幣を計数した結果を示し、利用者に対して利用者の入金した入金額を確認させた後に、制御部１０４が決定した搬送先に紙幣を搬送するときの紙幣取扱装置１０６の処理を示す。なお、操作部１１２にて表示した入金金額の確認において、上述した返却ボタンの押下によって利用者に入金取引を取り消されたときは、一時保管庫４に一時的に保管された紙幣を入出金部１に返却する。
【００２７】
紙幣取扱装置１０６は、制御部１０４が決定した搬送先に従い、紙幣を一時保管庫４から搬送路２上に搬出する。搬送路２上を搬送される紙幣は判別部３によって再び判別され（後述する）、搬送路２上の通過センサ６で紙幣を監視し、ゲート７を切り替え、制御部１０４が決定した搬送先（収納庫８、収納庫９、リジェクト庫５）に紙幣を搬送し、各収納庫に収納する。
【００２８】
最後に、紙幣取扱装置１０６を用いた紙幣の出金取引における出金処理では、紙幣取扱装置１０６は、収納庫８、９の各金種毎の収納庫（金庫）から所定の枚数づつ紙幣を繰出し、判別部３で紙幣を判別し、入出金部１に収納し、利用者に支払われる。このとき、出金リジェクトが発生した場合には、その紙幣は一時保管庫５に収納され、不足分の紙幣を収納庫８，９より追加して繰出す。
【００２９】
ここで、紙幣を一時的に保管する一時保管庫４について、異なる構造を有した一時保管庫を対比しながら説明する。
【００３０】
図４は、紙幣を回転ドラムに巻き付けて保管する一時保管庫４を有した紙幣取扱装置１０６の一部を示す。紙幣を回転ドラムに巻き付けて保管する一時保管庫４は、紙幣を回転ドラムに巻き取ることから巻取り型一時保管庫とも呼ぶことができる。保管する紙幣の大きさが大小様々な場合でも、入金計数時と入金収納時とで紙幣の順序が一時保管庫４内で入れ変わることは非常に少ないことが特徴である。このため、巻取り型一時保管庫を採用することで、入金計数時の紙幣の順序、位置、判別情報を使って、一時保管庫４から搬送先に紙幣を搬送することが可能となる。
【００３１】
しかし、巻取り型一時保管庫４は、紙幣の枚数が増えると巻取り部の径１２が大きくなり、装置の小型化と大容量化のニーズを同時に満たすことが困難となる。また、紙幣を回転ドラムに巻き付けて保管する一時保管庫４に使用する部品は、巻取り部のドラム、紙幣を巻き込むテープなど特殊なものが多く、次に説明する一時保管庫と比較し、製造・保守等においてコストがかかる。
【００３２】
図５は、紙幣を重ねて保管する一時保管庫４を有した紙幣取扱装置１０６の一部を示す図である。紙幣を重ねて保管する一時保管庫４は、収納庫８、９と略同様な簡易な機構であり、紙幣を重ねることからスタック型一時保管庫とも呼ぶことができる。このスタック型一時保管庫４は、紙幣を回転ドラムに巻き付けて保管する図４の巻取り型一時保管庫よりも、低コストで製造・保守等が可能であると共に、小型化と大容量化が可能である。
【００３３】
このスタック型一時保管庫４は、EURO紙幣などのように高額紙幣と低額紙幣の大きさに相当の差がある場合に、当該一時保管庫４が大きい紙幣に合わせて作られる。小さい紙幣にあわせて設計するとそれより大きい紙幣が保管できないからである。このような一時保管庫に、大きい紙幣と小さい紙幣とが同時に保管されると、小さい紙幣の姿勢が安定せずに、入金計数時と入金収納時とで、一時保管庫４に収納されている紙幣の順序が変わる場合がある。このため、紙幣を重ねて保管する一時保管庫４は、入金計数時の紙幣の順序、位置、判別情報を使って、一時保管庫４から搬送先に紙幣を搬送することには不適である。
【００３４】
図６は、図５のスタック型一時保管庫４を適用した紙幣取扱装置１０６と、入金計数処理のときに、第１の記憶部（Ａ）１０７と第２の記憶部（Ｂ）に記憶される内容を示した図である。入金計数処理の際に、判別部３は紙幣の固有情報を読取るとともに紙幣の金種、真偽若しくは状態を判別する。記憶部１０８は、判別部３により読取り、判別されたこれらの情報を記憶する。なお、記憶部１０７は入金計数の処理の際には、何も記憶しない。
【００３５】
紙幣取扱装置１０６は、利用者から受付けた紙幣を、入出金部１のホッパ１０から搬送路２上に搬出する。この搬出された紙幣が、判別部３を通過したときに、判別部３は、紙幣から固有情報（例えば、記番号）を読取る、また紙幣を金種、真偽若しくは紙幣の状態を判別する。制御部１０４は、判別部３が判別した判別情報（金種、真偽又は状態）に基づき、紙幣の搬送先を決定する。紙幣の搬送先の決定については既に詳述したので説明を省略するが、記憶部１０８は、判別部３が読取った固有情報、判別した判別情報、制御部１０４が決定した搬送先、及び入金順番情報を関連付けて記憶する。
【００３６】
図６をもとに入金計数処理について、更に具体的に説明する。この場合、収納庫８が万券の収納庫、収納庫９が千券の収納庫と設定され、運用がされているとする。
【００３７】
判別部３は、１枚目の紙幣について、固有情報としてＡＢ１２３を読取り、判別情報として、金種については万券、真偽については真、状態については良と判別している。従って、制御部１０４は、前述した紙幣の搬送先の決定方法に従い、万券の収納庫８を搬送先に決定する。記憶部１０８は、１枚目の紙幣について、固有情報としてＡＢ１２３を、判別情報として、金種については万券（図６では「万」と表示する。）、真偽については真、状態については良を、搬送先として収納庫８を記憶する。
【００３８】
判別部３は、２枚目の紙幣について、固有情報としてＣＤ４５６を読取り、判別情報として、金種については万券、真偽については真、状態については破れ有りと判別している。従って、制御部１０４は、前述した紙幣の搬送先の決定方法に従い、リジェクト庫５を搬送先に決定する。記憶部１０８は、２枚目の紙幣について、固有情報としてＣＤ４５６を、判別情報として、金種については万券（図６では「万」と表示する。）、真偽については真、状態については破れ有り（図６では「破」と表示する。）を、搬送先としてリジェクト庫５（図６では「ＲＪ庫５」と表示する。）を記憶する。
【００３９】
判別部３は、３枚目の紙幣について、固有情報を読取ることができていない。従って、制御部１０４は、前述した紙幣の搬送先の決定方法に従い、入出金部１のリジェクトスタッカ１１を搬送先に決定する。搬送先がリジェクトスタッカ１１と決定された紙幣については、記憶部１０８は、判別情報などの情報を記憶せず、紙幣を入出金部１のリジェクトスタッカ１１に搬送する。
【００４０】
判別部３は、４枚目の紙幣について、固有情報としてＥＦ７８９を読取り、判別情報として、金種については万券、真偽については偽（「真券でない又は疑わしい紙幣」を表す。）、状態については良と判別している。判別部３により真券でない又は疑わしい紙幣と判別された紙幣を、制御部１０４は、前述した紙幣の搬送先の決定方法に従い、入出金部１のリジェクト庫５を搬送先に決定する。記憶部１０８は、４枚目の紙幣について、固有情報としてＥＦ７８９を、判別情報として、金種については万券、真偽については偽、状態については良を、搬送先としてリジェクト庫５を記憶する。
【００４１】
判別部３は、５枚目の紙幣について、固有情報としてＧＨ０１２を読取り、判別情報として、金種については千券、真偽については真、状態については良と判別している。従って、制御部１０４は、前述した紙幣の搬送先の決定方法に従い、千券の収納庫９を搬送先に決定する。記憶部１０８は、５枚目の紙幣について、固有情報としてＧＨ０１２を、判別情報として、金種については千券（図６では「千」と表示する。）、真偽については真、状態については良を、搬送先として収納庫９を記憶する。
【００４２】
図７は、図６にて説明した入金計数処理により、記憶部１０８が各紙幣の固有情報、判別情報、入金順番情報、及び搬送先を記憶した後、紙幣を一時保管庫４から搬出し、入金収納処理を行っているときの記憶部１０７及び記憶部１０８が記憶しているデータを示す。
【００４３】
入金収納時には、判別部３は、紙幣の固有情報を読取り、この読取った固有情報と、記憶部１０８が記憶した各紙幣の固有情報とを比較する。これにより、入金計数時と入金収納時とで一時保管庫４に収納された紙幣の順番が変わった場合でも、紙幣取扱装置１０６は、紙幣を誤った搬送先に搬送することがなくなる。
【００４４】
さらに詳述すると、紙幣取扱装置１０６は、一時保管庫４に収納された紙幣を１枚づつ搬送路２に搬出し、この搬出された紙幣が、判別部３を通過したときに、判別部３は、紙幣から固有情報を読取り、記憶部１０７は、判別部３に読取られた固有情報を記憶する、続いて、制御部１０４は、記憶部１０７に記憶された紙幣の固有情報と記憶部１０８に記憶された固有情報とを比較する。比較の結果、記憶部１０７に記憶された固有情報と、記憶部１０８に記憶された固有情報とが、同一又は所定の近似度を有している場合は、制御部１０４は、記憶部１０８に記憶された固有情報に関連付けられた搬送先を、紙幣の搬送先と決定する。比較の結果、記憶部１０７に記憶された固有情報と、記憶部１０８に記憶された固有情報とが、同一又は所定の近似度を有していない場合には、当該比較を繰り返す。すなわち、制御部１０４は、記憶部１０７に記憶された固有情報と、同一又は所定の近似度を有している記憶部１０８に記憶された固有情報を検索し、その固有情報に関連付けられた搬送先を紙幣の搬送先として決定する。紙幣取扱装置１０６は、搬送路２によりこの決定された搬送先に紙幣を搬送する。
【００４５】
これにより、入金計数時と入金収納時とで一時保管庫４に収納された紙幣の順番が変わった場合でも、紙幣取扱装置１０６は、紙幣を入金計数時の判別情報に応じた搬送先に搬送することが可能となる。
【００４６】
図６、図７では、入金計数時に、制御部１０４により搬送先をリジェクトスタッカ１１に決定された紙幣を、一時保管庫４に搬送することなく、そのままリジェクトスタッカ１１に搬送することにより、記憶部１０８は、搬送先がリジェクトスタッカ１１に決定された紙幣に関する固有情報などの情報を記憶しなくてもよくなる。入金収納処理に関与しない情報を記憶しないことにより、入金収納時における搬送先の決定処理を効率化することが可能となる。
【００４７】
入金計数時に、制御部１０４により搬送先をリジェクトスタッカ１１に決定された紙幣（図６の３枚目の紙幣）についても、記憶部１０８は、固有情報などの情報を記憶してもよい。これらの情報と、利用者のアカウント等と合わせて管理することが可能となり、リジェクトスタッカ１１に搬送されるような紙葉類等を頻繁に使用する利用者を特定し、悪意ある利用者の特定に繋げることが可能となる。
【００４８】
図８は、図６にて説明した入金計数後に、利用者が入金取引を取消し、紙幣を一時保管庫４から入出金部１に返却する際にエラーが生じたときに、紙幣取扱装置１０６のエラーの自動検知によりあるいは係員の操作により、現金自動取引装置１０３が、操作部１１２に表示する画面である。
【００４９】
紙幣取扱装置１０６が、一時保管庫４から入出金部１に紙幣を返却するときに、紙幣が重なったことにより、判別部３により固有情報の読取りができなかった場合や、紙幣が複数枚重なっていた場合や、記憶部１０７お固有情報に対応する記憶部１０８の固有情報が存在しない場合に、紙幣取扱装置１０６が現金自動取引装置１０３に通知し、紙幣の搬送を停止した旨を外部に通知するとともに、操作部１１２が、係員に操作をさせるためにこの画面を表示する。
【００５０】
操作部１１２により各キー３０１〜３０３の係員による押下が検知され、本体制御部１１４は、各キー３０１〜３０３に対応した処理の実行を紙幣取扱装置１０６に指示する。
【００５１】
「紙幣返却」キー３０１は、搬送路２上や一時保管庫４に残っている紙幣を入出金部１に返却する処理の実行を指示するキーである。「再判別処理」キー３０２は、入出金部１に返却された紙幣を搬送路２上へ搬出し、搬送路２上を搬送された紙幣が判別部３を通過したときに、判別部３により読取られた固有情報に対応する記憶部１０８の固有情報に関連付けられた判別情報に基づき、一時保管庫４又はリジェクトスタッカ１１に収納する処理の実行を指示するキーである。「再収納処理」キー３０３は、一時保管庫４に収納された紙幣を、収納庫８、９、リジェクトスタッカ１１又はリジェクト庫５へ搬送する処理の実行を指示するキーである。
【００５２】
以下、本発明の取引処理の具体例を図９から図１２を用いて説明する。ここでは、搬送先がリジェクトスタッカ１１に決定された紙幣については、紙幣取扱装置１０６は、記憶部１０８に情報を記憶しないまま、リジェクトスタッカ１１に紙幣を返却する場合について説明する。
【００５３】
図９は、入金計数処理の処理フローを示す図である。現金自動取引装置１０３は、操作部１１２により利用者の入金取引操作を検知し、入金取引のための入金計数処理を開始するよう紙幣取扱装置１０６に指示を出す。紙幣取扱装置１０６は、入金計数の指示を検知し（ステップ１００１）、記憶部１０５、記憶部（Ａ）１０７、及び記憶部（Ｂ）１０８を初期化する（ステップ１００２）。入出金部１は、利用者に入金された紙幣を、搬送路２上へ搬出する（ステップ１００３）。搬送路２上を搬送された紙幣が判別部３を通過するときに、判別部３及び制御部４により搬送先決定処理が実施される（ステップ１００４）。搬送先決定処理では、上述した搬送先の決定方法により搬送先を決定する。ここでは詳述はしないが、判別部３は、紙幣の固有情報を読取ると共に紙幣を紙幣の金種、真偽若しくは状態で判別し、制御部４は、判別部３が紙幣を判別した判別情報に基づき、紙幣の搬送先を決定する。
【００５４】
続いて、制御部１０４は、ステップ１００４にて搬送先がリジェクトスタッカ１１となっているか否かを判断する（ステップ１００５）。搬送先がリジェクトスタッカ１１となっている場合は（ステップ１００５：Ｙ）、その紙幣は、入出金部１のリジェクトスタッカ１１に搬送される（ステップ１００８）。
【００５５】
ステップ１００５にて、搬送先がリジェクトスタッカ１１となっていない場合は、記憶部１０８は、固有情報、判別情報、搬送先、及び入金順番情報を関連付けて記憶する（ステップ１００６）。紙幣は、一時保管庫４に搬送される。（ステップ１００７）。
【００５６】
入出金部１のホッパ１０内の紙幣が無くなるまで、ステップ１００３からステップ１００８を繰り返す（ステップ１００９）。
【００５７】
図１０は、図９にて説明した入金計数処理後に、利用者により入金取引を取り消された場合の処理フローを示す図である。入金取引の取消しが通知された場合に、紙幣取扱装置１０６が、一時保管庫４から入出金部１のリジェクトスタッカ１１に紙幣を返却するときの動作について説明をする。
【００５８】
現金自動取引装置１０３は、操作部１１２により利用者の入金取引の取消し操作を検知し、返却処理を開始するよう紙幣取扱装置１０６に指示を出す。紙幣取扱装置１０６は、返却処理の指示を検知し（ステップ１１０１）、記憶部１０７を初期化する（ステップ１１０２）。一時保管庫４は、入金計数処理により一時保管庫４に収納された紙幣を搬送路２上へ搬出する（ステップ１１０３）。搬送路２上を搬送された紙幣が判別部３を通過したときに、判別部３は、紙幣の固有情報を読取り、記憶部１０７は、判別部３に読取られた固有情報を記憶する（ステップ１１０４）。
【００５９】
判別部３が固有情報の読取りをできない場合や（ステップ１１０５：Ｙ）、他の紙幣と複数枚重なっている場合や（ステップ１１０６：Ｙ）、判別部３による固有情報の読取りはできたが、記憶部１０８に記憶された固有情報の中に、記憶部１０７に記憶された固有情報と同一又は所定の近似度を有しているものがなかい場合には（ステップ１１０７：Ｎ）、紙幣取扱装置１０６は、入金計数時の判別結果をもって搬送先が決められないため、紙幣の搬送を停止する（ステップ１１０８）。なお、紙幣の重なりの有無は、判別部３が紙幣の形状、大きさ、厚みを検知することにより行う。
【００６０】
固有情報の読取ることができ（ステップ１１０５：Ｎ）、他の紙幣と複数枚重なっておらず（ステップ１１０６：Ｎ）、記憶部１０８に記憶された固有情報の中に、記憶部１０７に記憶された固有情報と、同一又は所定の近似度を有している固有情報がある場合には（ステップ１１０７：Ｙ）、記憶部１０７の固有情報に対応する記憶部１０８の固有情報に関連付けられた搬送先に紙幣が搬送される（ステップ１１０９）。
【００６１】
紙幣取扱装置１０６は、一時保管庫４内の紙幣が無くなるまで、ステップ１１０３からステップ１１０９を繰り返す。（ステップ１１１０）
図１１は、図９にて説明した入金計数処理後に、利用者により入金取引を確定された場合の入金収納処理の処理フローを示す図である。紙幣取扱装置１０６が入出金部１から一時保管庫４に紙幣の搬送を終えた後、入金取引の確定が通知された場合に、紙幣取扱装置１０６が、収納庫８又は収納庫９に紙幣を搬送するときの動作について説明する。
【００６２】
現金自動取扱装置１０３は、操作部１１２により利用者の入金取引の確定操作を検知し、入金収納を開始するよう紙幣取扱装置１０６に指示を出す。紙幣取扱装置１０６は、入金収納の指示を検知し、紙幣の収納処理を開始する（ステップ１２０１）。紙幣取扱装置１０６は、記憶部１０７を初期化する（ステップ１２０２）。
【００６３】
一時保管庫４は、入金計数処理により一時保管庫４に収納された紙幣を搬送路２へ搬出する（ステップ１２０３）。搬送路２上に搬出された紙幣が判別部３を通過したときに、判別部３は、紙幣の固有情報を読取り、記憶部１０７は、判別部３に読取られた固有情報を記憶する（ステップ１２０４）。
【００６４】
固有情報の読取りができない場合や（ステップ１２０５：Ｙ）、他の紙幣と複数枚重なっている場合や（ステップ１２０６：Ｙ）、判別部３による固有情報の読取りはできたが、記憶部１０８に記憶された固有情報の中に、記憶部１０７に記憶された固有情報と同一又は所定の近似度を有しているものがない場合には（ステップ１２０７：Ｎ）、紙幣はリジェクト庫５へ搬送される（ステップ１２１１）。
【００６５】
固有情報の読取りができ（ステップ１２０５：Ｎ）、他の紙幣と複数枚重なっておあらず（ステップ１２０６：Ｎ）、判別部３による固有情報の読取りはできたが、記憶部１０８に記憶された固有情報の中に、記憶部１０７に記憶された固有情報と、同一又は所定の近似度を有しているものがある場合には（ステップ１２０７：Ｙ）、記憶部１０７の固有情報に対応する記憶部１０８の固有情報に関連付けられた搬送先に紙幣を搬送する（ステップ１２０８）。
【００６６】
図１２は、図１０にて説明した返却処理において、紙幣の搬送を停止した（図１０のステップ１１０８）後の処理フローを示す図である。
【００６７】
係員はＡＴＭを取引モードから係員モードに切替えて、「紙幣返却」キー３０１（図８）を押下する。
【００６８】
本体制御部１１４は、操作部１１２により係員の「紙幣返却」操作を検知し、紙幣取扱装置１０６に紙幣の「紙幣返却」を開始するよう紙幣返却指示を出す。紙幣取扱装置１０６は、紙幣返却指示を検知し（ステップ１３０１）、記憶部１０７を初期化する（ステップ１３０２）。ここで、記憶部１０８は、初期化せずに、紙幣の入金計数時に記憶された情報を保持しておく。また、紙幣取扱装置１０６は、一時保管庫４に保管されていた紙幣を、入出金部１のリジェクトスタッカ１１へ返却するために、搬送路２上に搬出する（ステップ１３０３）。
【００６９】
ここで、入出金部１に返却された紙幣は、真券でない又は疑わしい紙幣も含まれている場合があるため、そのまま利用者には渡すことができない。このため、係員は、真券のみを利用者に渡すために、紙幣取扱装置１０６により、再度紙幣の判別を行う必要がある。
【００７０】
そこで、係員は、「再判別処理」キー３０２（図８）を押下する。本体制御部１１４は、操作部１１２により係員の「再判別処理」操作を検知し、紙幣取扱装置１０６に、紙幣の「再判別処理」を開始するよう再判別指示を出す。紙幣取扱装置１０６は、再判別指示を検知し（ステップ１３０４）、入出金部１から紙幣を搬送路２上へ搬出する（ステップ１３０５）
この搬送において、判別部３は、紙幣の固有情報の読取りを行い、当該紙幣の固有情報を記憶部１０７に記憶する（ステップ１３０６）。
【００７１】
固有情報の読取りができ（ステップ１３０７：Ｙ）、他の紙幣と複数枚重なっておらず（ステップ１３０８：Ｙ）、記憶部１０８に記憶された固有情報の中に、記憶部１０７に記憶された固有情報と同一又は所定の近似度を有しているものがあり（ステップ１３０９：Ｙ）、記憶部１０８に記憶された判別情報の紙幣の真偽が真券である場合（ステップ１３１０：Ｙ）には、リジェクトスタッカ１１に紙幣を搬送する（ステップ１３０９）。
【００７２】
一方、固有情報の読取りができない場合（ステップ１３０７：Ｙ）、他の紙幣と複数枚重なっている場合（ステップ１３０８：Ｙ）、記憶部１０８に記憶された固有情報の中に、記憶部１０７に記憶された固有情報と同一又は所定の近似度を有しているものがない場合（ステップ１３０９：Ｎ）、紙幣が偽券又は疑わしい紙幣である場合（ステップ１３０１０：Ｎ）には、紙幣は、搬送路２により一時保管庫４に搬送される（ステップ１３１２）。
【００７３】
ステップ１３０５からステップ１３１２を、入出金部１のホッパ１０に入っている紙幣が無くなるまで繰り返す（ステップ１３１３）。
【００７４】
リジェクトスタッカ１１に収納された紙幣は、真券なので、利用者に返却する（ステップ１３１１）。なお、入出金部１は、ホッパ１０とリジェクトスタッカ１１の間に仕切りがあるため、ステップ１３１３でホッパ１０の紙幣がなくなる前に、リジェクトスタッカ１１に真券が搬送されても、ホッパ１０の紙幣とリジェクトスタッカ１１の紙幣が混ざることはない。
【００７５】
最後に係員は、「再収納処理」キー３０１（図８）を押下する。本体制御部１１４は、操作部１１２により係員の「再収納処理」操作を検知し、紙幣取扱装置１０６に、紙幣の「再収納処理」を開始するよう再収納指示を出す。紙幣取扱装置１０６は、再収納指示を検知し、ステップ１３１２にて一時保管庫４に搬送された紙幣を、一時保管庫４からリジェクト庫５へを搬送する（ステップ１３１６）。
【００７６】
本実施形態では、一時保管庫４から搬送先に搬送される際に、制御部１０４は、判別部３により読取られた固有情報に対応する記憶部１０８の固有情報に関連付けられた搬送先を紙幣の搬送先と決定した。固有情報だけを読取り、比較することにより処理の高速化が可能となり、ひいては搬送路の短縮化、装置の小型化が可能となる。
【００７７】
この他の形態として、一時保管庫４から搬送先に搬送される際に、判別部１０３に固有情報の他に紙幣の金種、真偽又は状態を再度判別させ、制御部１０４は、この判別情報をもとに搬送先を決定し、記憶部１０８の搬送先と比較して最終的な搬送先を決定してもよい。但し、上述した入金計数時のデータを取り扱う実施形態と比較すると、再度の真偽判定等が必要となる、との点で処理が遅延する。
【００７８】
例えば、同じ紙幣でも、入金計数時と入金収納時では、紙幣の判別結果が異なり、この結果、入金収納時に、真券でない又は疑わしい紙幣を発見できる場合がある。このような場合を想定し、制御部１０４は、入金計数時と入金収納時との搬送先を比較し、いずれかの搬送先がリジェクト庫５の場合、すなわち、真券でない又は疑わしい紙幣を発見した場合は、記憶部１０８の搬送先をリジェクト庫５に変更し、変更した搬送先に紙幣を搬送する。この結果、紙幣取扱装置１０６は、入金収納時において発見した真券でない又は疑わしい紙幣も装置内に回収することが可能となり、真券でない又は疑わしい紙幣を世に流通させないことを徹底することができる。
【００７９】
さらに、入金計数時の固有情報、真偽判定結果を利用せずに、一時保管庫に正券、偽券を全て一時収納し、紙幣収納処理の真偽判定にて搬送先を決定する態様も考えられうる。その場合、判別部を通過した後の搬送路上に偽券専用の収納庫を設けるものである。
【００８０】
但し、判別部３は、入金計数時には、紙幣を真券でない又は疑わしい紙幣と判別したが、入金収納時には、当該紙幣を真券であると判別することもあるため、入金収納時の判別結果のみに基づき紙幣の搬送先を決定することは規則を遵守する上で好ましくない。
【００８１】
また、入金計数時及び入金収納時に、判別部３は、紙幣を金種、真偽又は状態に基づき判別し、記憶部１０８は、判別情報として紙幣の金種、真偽又は状態を記憶するが、判別部３は、金種、真偽、状態の他に種類（紙幣の新旧）、姿勢、発行時期なども含めて判別し、記憶部１０８は、判別情報として金種、真偽、状態の他に種類（紙幣の新旧）、姿勢、発行時期を記憶してもよい。これにより管理者の要望に応じた様々な種類の判別を実施し、判別した種類ごとに各収納庫へ収納することが可能となる。
【００８２】
また、本実施例では、判別部３の有する記憶部１０７が、固有情報を記憶し、記憶部１０８が、判別情報、固有情報等を記憶したが、制御部１０４の有する記憶部１０５が、判別情報、固有情報の全部又は一部を記憶してもよいことはいうまでもない。
【００８３】
また、本実施例では、記憶部１０７に固有情報を記憶するとしたが、入金収納時に判別部３により読取った固有情報を記憶せずにそのまま記憶部１０８に記憶された固有情報と比較してもよい。
【００８４】
以上のようにして、入金計数時と入金収納時とで、一時保管庫４内の紙幣の順序が変わっても、入金計数時に紙幣を判別した結果から紙幣の搬送先を決定できる紙幣取扱装置を提供することが可能となる。
【００８５】
上述した入金計数処理、入金収納処理における固有情報の読取りによる搬送先の決定は、本発明の一実施形態に過ぎない。本発明は、上述した実施形態に限るものではなく、紙幣の固有情報と判別情報又は搬送先を関連付けて記憶することにより、紙幣の管理を容易化、厳格化することができるものであればよい。
【図面の簡単な説明】
【００８６】
【図１】紙幣取扱装置の装置図
【図２】現金自動取扱装置の制御ブロックを示す図
【図３】現金自動取引装置の概略を示す図。
【図４】紙幣を回転ドラムに巻き付けて保管する一時保管庫の例を示す図
【図５】紙幣を重ねて保管する一時保管庫の例を示す図。
【図６】紙幣を入金したときに記憶している情報を示す図
【図７】一時保管庫から紙幣を出したときの処理を示す図
【図８】係員画面の例
【図９】入金取引での処理フロー図
【図１０】入金取引の取消処理の処理フロー図
【図１１】紙幣の収納処理の処理フロー図
【図１２】紙幣搬送が停止した場合の処理フロー図
【符号の説明】
【００８７】
１…入出金部、２…搬送路、３…判別部、４…一時保管庫、５リジェクト庫、６…通過センサ、７…ゲート、８…収納庫、９…収納庫、１０…ホッパ、１１…リジェクトスタッカ、１２…巻取り部の径、１０１…ホストコンピュータ、１０２…サーバ、１０３…現金自動取引装置、１０４…制御部、１０５…記憶部、１０６…紙幣取扱装置、１０７…  判別部記憶装置Ａ、１０８…判別部記憶装置Ｂ、１０９…通帳取扱装置、１１０…明細票発行装置、１１１…カード取扱装置、１１２…操作部、１１３…本体制御部記憶装置、１１４…本体制御部、３０１…紙幣返却キー、３０２…再判別処理キー、３０３…再収納処理キー
【図１】
0005156439.tif 000002
【図２】
0005156439.tif 000003
【図３】
0005156439.tif 000004
【図４】
0005156439.tif 000005
【図５】
0005156439.tif 000006
【図６】
0005156439.tif 000007
【図７】
0005156439.tif 000008
【図８】
0005156439.tif 000009
【図９】
0005156439.tif 000010
【図１０】
0005156439.tif 000011
【図１１】
0005156439.tif 000012
【図１２】
0005156439.tif 000013